(57)【要約】【課題】快適性の高い照明器具および光源カバーを提供する。【解決手段】照明器具１００は、発光素子であるＬＥＤ１０と、表面に複数のＬＥＤ１０が並べて実装された基板２０と、基板２０の裏面に接続する筐体３０と、基板２０の上に設けられた拡散板４０と、基板２０の両脇に配置されて拡散板４０を支持する反射板８０と、ＬＥＤ１０を覆うように設けられ端部が筐体３０に接続する光源カバー５０を備える。光源カバー５０は断面視で厚さが一定な均厚部５１と、この均厚部５１に並べて設けられ光軸１１から離れるにつれ断面視で厚さが薄くなる傾斜部５２と、傾斜部５２から連なる反射部５３とからなる。光源カバー５０は上記断面形状を基板２０の長手方向に延伸した形状を有しており、押し出し成形にて製造されてもよい。【選択図】図２
2015162447.tif 000002
【特許請求の範囲】
【請求項１】
発光素子と、
前記発光素子が実装された基板と、
少なくとも前記発光素子の出光面側に設けられ、前記発光素子に対向し厚さが一定な均厚部と前記均厚部に並べて設けられ前記発光素子から遠ざかるにつれ厚みが減少する傾斜部とを備える光源カバーと、
を備える照明器具。
【請求項２】
前記発光素子と前記光源カバーの間に透光機能を有する拡散板が設けられた請求項１記載の照明器具。
【請求項３】
前記光源カバーは、前記傾斜部から前記均厚部とは反対側に設けられ前記発光素子からの光を反射する反射部をさらに備える請求項１または２に記載の照明器具。
【請求項４】
前記反射部の表面が段状に形成されている請求項３に記載の照明器具。
【請求項５】
前記反射部は、前記傾斜部から遠ざかるにつれ厚みが減少する請求項３または４に記載の照明器具。
【請求項６】
前記傾斜部の表面が段状に形成されている請求項１〜５のいずれか１項に記載の照明器具。
【請求項７】
前記傾斜部は連続的に厚みが減少する請求項１〜５のいずれか１項に記載の照明器具。
【請求項８】
前記傾斜部の表面が曲面である請求項７に記載の照明器具。
【請求項９】
前記発光素子と前記光源カバーの間にプリズムシートが設けられた請求項１〜８のいずれか１項に記載の照明器具。
【請求項１０】
前記均厚部が曲面形状を有する請求項１〜９のいずれか１項に記載の照明器具。
【請求項１１】
発光素子を覆うための光源カバーであって、
少なくとも前記発光素子の出光面側に位置し、前記発光素子に対向する面に設けられた厚さが一定な均厚部と前記発光素子から遠ざかるにつれ前記均厚部から厚みが減少する傾斜部とを備える光源カバー。
【発明の詳細な説明】
【技術分野】
【０００１】
本発明は、照明器具および光源カバーに関する。
【背景技術】
【０００２】
蛍光灯や白熱電球などの従来光源に比べ、発光ダイオード（Ｌｉｇｈｔ  Ｅｍｉｔｔｉｎｇ  Ｄｉｏｄｅ：ＬＥＤ）は長寿命である。例えば特開２０１２−６９２９７号公報に開示されているように、ＬＥＤは、近年その発光効率および光束の向上に伴って様々な照明器具の光源として用いられている。
【先行技術文献】
【特許文献】
【０００３】
【特許文献１】特開２０１２−６９２９７号公報
【発明の概要】
【発明が解決しようとする課題】
【０００４】
上記従来の照明器具では、ＬＥＤ光源を列状に配置し、透光性を有する拡散カバーで覆う直管形光源と直管形光源を組み込んだ照明器具が開示されている。しかしながら、拡散カバーにより光を拡散させて出射するので、人がグレアとして不快に感じる範囲にも光（おおよそ器具水平面から３０度までの範囲の光）が照射され、快適性が低いという問題があった。
【０００５】
本発明は、上述のような課題を解決するためになされたもので、快適性の高い照明器具および光源カバーを提供することを目的とする。
【課題を解決するための手段】
【０００６】
本発明にかかる照明器具は、発光素子と、前記発光素子が実装された基板と、少なくとも前記発光素子の出光面側に設けられ、前記発光素子に対向し厚さが一定な均厚部と前記均厚部に並べて設けられ前記発光素子から遠ざかるにつれ厚みが減少する傾斜部とを備える光源カバーと、を備える。
【０００７】
本発明にかかる光源カバーは、発光素子を覆うための光源カバーであって、少なくとも前記発光素子の出光面側に位置し、前記発光素子に対向する面に設けられた厚さが一定な均厚部と前記発光素子から遠ざかるにつれ前記均厚部から厚みが減少する傾斜部とを備える。
【発明の効果】
【０００８】
本発明によれば、光源カバーにグレア光を抑制する指向性制御機能を持たせることにより、被照射面の照射むらが少なくなり、快適性の高い照明器具を得ることができる。
【図面の簡単な説明】
【０００９】
【図１】本発明の実施の形態１にかかる照明器具の斜視図である。
【図２】実施の形態１にかかる照明器具の図１のＡ−Ａ線に沿う断面図である。
【図３】実施の形態１にかかる照明器具の分解斜視図である。
【図４】実施の形態１にかかる照明器具の効果を説明するための光路図である。
【図５】実施の形態１にかかる照明器具の効果を説明するための光路図である。
【図６】実施の形態１にかかる照明器具の効果を説明するための光路図である。
【図７】実施の形態１にかかる照明器具の効果を説明するための配光分布図である。
【図８】実施の形態１にかかる照明器具の効果を説明するための配光分布図である。
【図９】実施の形態１にかかる照明器具の効果を説明するための照度分布図である。
【図１０】本発明の実施の形態２にかかる照明器具の断面図である。
【図１１】実施の形態２にかかる照明器具の効果を説明するための光路図である。
【図１２】実施の形態２にかかる照明器具の効果を説明するための光路を示す拡大図である。
【図１３】実施の形態２にかかる照明器具の断面図である。
【図１４】実施の形態２にかかる照明器具の効果を説明するための配光分布図である。
【図１５】実施の形態２にかかる照明器具の効果を説明するための配光分布図である。
【図１６】本発明の実施の形態３にかかる照明器具の断面図である。
【図１７】本発明の実施の形態３にかかる照明器具の拡大断面図である。
【図１８】本発明の実施の形態３にかかる照明器具の拡大断面図である。
【図１９】本発明の実施の形態４にかかる照明器具を示す図である。
【図２０】本発明の実施の形態４にかかる照明器具を示す断面図である。
【図２１】実施の形態の変形例にかかる光源カバーの断面図である。
【図２２】実施の形態の変形例にかかる照明器具の図である。
【発明を実施するための形態】
【００１０】
以下、本発明の実施の形態について図面を用いて詳細に説明する。以下の実施の形態の説明中で「上」、「下」、「左」、「右」といった用語を使用して方向を説明するが、これらの用語は本実施の形態にかかる装置、器具、および部品等における相対的な配置関係および相対的な方向を説明するための便宜上のものである。また、本発明は図面に記載した具体的な形状、構造等のみに限定されるものではない。
【００１１】
実施の形態１．
図１は本発明の実施の形態１にかかる照明器具１００の斜視図である。図２は図１のＡ−Ａ線に沿う断面図であり、照明器具１００の短手方向に切断したときの切り口を示す。なお、図１に示すＢ−Ｂ線は、照明器具１００の長手方向に沿って伸びている。図３は、照明器具１００の分解斜視図である。
【００１２】
照明器具１００は、発光素子であるＬＥＤ１０と、表面に複数のＬＥＤ１０が並べて実装された基板２０と、基板２０の裏面に接続する筐体３０と、基板２０の上に設けられた拡散板４０と、基板２０の両脇に配置されて拡散板４０を支持する反射板８０と、ＬＥＤ１０を覆うように設けられ端部が筐体３０に接続する光源カバー５０を備える。光源カバー５０の端面には側板５４が接着されている。図２に示す一点鎖線はＬＥＤ１０の光軸１１を表し、ＬＥＤ１０から上側方向に光が出射される。図１の光軸１１は、ちょうどＡ−Ａ断面視における照明器具１００の中心軸に一致している。ＬＥＤ１０は、合成光として白色光を得る発光素子としてもよく、具体的には波長４４０ｎｍ〜４８０ｎｍ程度の青色光を発するＬＥＤチップと青色光を黄色光に波長変換する蛍光体を樹脂パッケージ内に配した素子であってもよい。基板２０は長方形の板状の基板であり、好ましくはガラスエポキシ製である。基板２０の上に、長手方向に沿ってＬＥＤ１０が実装されている。基板２０の表面には光の反射率を高めるため、白色レジストが塗布されていることが好ましい。また基板２０にはダイオードなどの回路素子およびコネクタ等の端子（いずれも図示せず）も実装されている。
【００１３】
ＬＥＤ１０が実装された基板２０は筐体３０に接着保持されている。筐体３０は、好ましくは反射率を高めるため白色塗装された板金で構成されている。なお、筐体３０はＬＥＤ１０の熱を放熱する放熱板の役割も兼ねている。拡散板４０は、ＬＥＤ１０の出射面側を覆うように配設されており、好ましくは乳白の拡散材を混ぜ込んだポリカーボネイト製である。拡散板４０により、ＬＥＤ１０が離散的に配置されていることによる明暗むらが軽減される。反射板８０は、拡散板４０の端面を覆い拡散板４０を挟むように配置され、拡散板４０端面からの光の出射を抑制している。反射板８０は、好ましくは、９５％以上の反射率を有する白色のポリカーボネイト製である。光源カバー５０は光透過性を有し拡散板４０を覆うように配設され、好ましくは透明のポリカーボネイト製である。拡散板４０と反射板８０とは筐体３０により位置決めされる。
【００１４】
光源カバー５０の断面形状について、図２に基づいて以下に説明する。光源カバー５０は光軸１１を中心とした左右対称形状である。光源カバー５０は断面視で厚さが一定な均厚部５１と、この均厚部５１に並べて設けられ光軸１１から離れるにつれ断面視で厚さが薄くなる傾斜部５２と、傾斜部５２から連なる反射部５３とからなる。本実施の形態にかかる光源カバー５０は均厚部５１、傾斜部５２、および反射部５３が一個の連続的な物体を構成したものである。なお、光源カバー５０は上記断面形状を基板２０の長手方向に延伸した形状を有しており、押し出し成形にて製造されてもよい。
【００１５】
図４〜６は、実施の形態１にかかる照明器具１００の効果を説明するための光路図である。図４〜６に示す光路を参照しながら、光源カバー５０についてさらに説明を行う。図４は光源カバー５０の均厚部５１を説明するための図であり、図５は傾斜部５２を、図６は反射部５３をそれぞれ説明するための図である。ＬＥＤ１０を出射した光は拡散板４０により拡散され光源カバー５０に到達する。まず、図４を用い均厚部５１に到達した光について説明する。光源カバー５０の入射面のうち、基板２０と平行な面を第一入射面５１ａ、第一入射面５１ａを囲んだ面を第二入射面５３ａとすると、第一入射面５１ａに到達した光は屈折し光源カバー５０内に入る。さらに第一入射面５１ａに対向する出射面５１ｂで屈折し、出射する。ここで、均厚部５１は厚さがほぼ一定の領域、すなわち、第一入射面５１ａと出射面５１ｂはほぼ平行であるから、均厚部５１に入射する角度θａと均厚部５１から出射する角度θｂはほぼ同じ角度となる。グレア光となる角度θｇ以下の光を抑制するためには、拡散板４０から光源カバー５０の均厚部５１に入射する光の角度θａが角度θｇ以上となればよい。
【００１６】
発光面となる拡散板４０の幅をＷｋ、拡散板４０から光源カバー５０までの距離をＨ、均厚部５１の厚みをＴ、光源カバー５０の屈折率をｎとした時、均厚部５１の幅Ｗｓは下記に示す式（１）を満たす関係としている。
（Ｗｓ＋Ｗｋ）／２−Ｔ×ｔａｎ（ｓｉｎ−１（ｃｏｓ（θｇ）  ／ｎ）＜Ｈ／ｔａｎ（θｇ）  ・・・（１）
本実施の形態１においては角度θｇを３０度とし、式（２）の関係としている。
（Ｗｓ＋Ｗｋ）／２−Ｔ×ｔａｎ（ｓｉｎ−１（ｃｏｓ（３０°）  ／ｎ）＜Ｈ／ｔａｎ（３０°）  ・・・（２）
式（２）を満たすことにより、照明器具１００の長手方向に垂直な断面において光源カバー５０の均厚部５１に入射する角度θａは３０度以上となり、均厚部５１から出射する光も所望の３０度以上となる。よって、照明器具１００の長手方向に垂直な断面において、均厚部５１から出射する光はグレア光を含まない。
【００１７】
次に、図５を用いて傾斜部５２に到達した光について説明する。傾斜部５２のＬＥＤ１０側の第一入射面５１ａに到達した光は屈折し光源カバー５０内部に入る。さらに第一入射面５１ａに対向する出射面５２ｂで屈折し、出射する。ここで、傾斜部５２は光軸１１から離れるにつれて薄くなるから、光源カバー５０に入射する光線に対し出射する光線は光軸１１に平行な方向に近づくことになる。
【００１８】
発光面となる拡散板４０の幅をＷｋ、拡散板４０から光源カバー５０までの距離をＨ、第一入射面の幅をＷｅ、光源カバー５０の屈折率をｎとした時、第一入射面５１ａと出射面５２ｂが成す傾斜角θαは下記に示す式（３）を満たす関係としている。
θｇ＜９０−θα−ｓｉｎ−１（ｎ×ｓｉｎ×（ｓｉｎ−１（（ｓｉｎ（ｔａｎ−１（Ｗｗ／Ｈ）））／ｎ）−θα））  ・・・  （３）
但し、Ｗｗ＝（Ｗｋ＋Ｗｅ）／２
式（３）を満たすことにより、照明器具１００の長手方向に垂直な断面において光源カバー５０の傾斜部５２から出射する光もθｇ度以上となる。よって、照明器具１００の長手方向に垂直な断面（図１におけるｘ−ｙ断面）において傾斜部５２から出射する光は所望の角度範囲のグレア光を抑制することができる。
【００１９】
次に、図６を用いて反射部５３に到達した光について説明する。第二入射面５３ａに到達した光は屈折し光源カバー５０内部に入る。さらに第二入射面５３ａに対向する反射面５３ｂでほぼ光軸１１に平行な方向へ全反射し、出射面５２ｂから出射する。
【００２０】
図７および図８は照明器具１００の効果を説明するための配光分布図であり、図９はその照度分布図である。図７および図８は光軸１１を通る平面の配光分布であり、図７は図１におけるｘ−ｙ平面の配光分布を、図８は図１におけるｙ−ｚ平面の配光分布をそれぞれ示す。なお、光軸方向を０度としており、図中の破線は、比較対象として光源カバーに厚さが一定な乳白拡散板を用いた照明器具の配光分布である。図９は照明器具から２ｍ離れた位置の照度分布を示す図であり、照明器具１００による照度分布である。図９より、照明器具１００においては６０度以上の光（つまり器具水平面から３０度以下の光）が抑制されていることが分かる。また、透明な光源カバー５０の表面で反射することにより、ｙ−ｚ平面においても角度の大きな光が低減されていることが分かる。また、図７に示すように、６０度以上の光は主に傾斜部５２により１０〜５０度程度の光に変換されるため、光度がほぼ一定となる角度範囲が従来の照明器具より光が広がり、図９に示すように照度が均一の領域を広く得ることができる。
【００２１】
以上のように、ＬＥＤ１０を覆う光源カバー５０にグレア光を抑制する指向性制御機能を持たせることにより、被照射面の照射むらが少なく、小型で快適性の高い照明を行うことができる。すなわち、光源カバー５０はＬＥＤ１０に対向し光軸１１を含む領域に厚さが一定な均厚部５１を有し、均厚部５１から連続してＬＥＤ１０から遠ざかるにつれ厚みが減少する傾斜部５２を有し、傾斜部５２に連続してＬＥＤ１０からの光を反射する反射部を設けている。ＬＥＤ１０から正面方向に向かう光を維持したまま、グレアとなる方向に向かう光のみを光源カバー５０で正面方向へ屈折または反射させることにより、容易にかつ小型で人が不快に感じるグレアを抑制することができる。また、グレアの要因となっていた光を光軸に平行な方向へ屈折させることにより、照度むらが少なく均一性の高い照明光を得ることができる。また、拡散板４０を設けているので、ＬＥＤ１０の高輝度と離散配置に伴う明暗むらを軽減し、外観品位の高い照明器具を容易に得ることもできる。
【００２２】
実施の形態２．
図１０は、本発明の実施の形態２にかかる照明器具２００の断面図である。図１０は照明器具２００を図１に示したＡ−Ａ線と同じ位置で切断した断面図であり、図１１はそのＡ−Ａ断面の光路を示した図であり、図１２は図１１の一部を拡大した図である。図１３は、照明器具２００の断面図であり、切断位置は図１のＢ−Ｂ線と同じである。図１３には光線もあわせて示す。
【００２３】
実施の形態２にかかる照明器具２００は、光源カバー５０に代えてこれと形状の異なる光源カバー１５０を有する点、および拡散板４０と光源カバー１５０の間にプリズムシート１９０を設けた点が、実施の形態１と異なる。以下、実施の形態１と異なる事項について主に説明し、実施の形態１と同じ構成要素には同一の符号を付し、説明を省略した事項は実施の形態１と同様である。プリズムシート１９０は透明樹脂製で光源カバー１５０側に略三角状の凹凸を持ち、その稜線は基板２０の長手方向に直交する方向に伸びている。
【００２４】
光源カバー１５０の断面形状について、図１１に基づいて以下に説明する。図１１の光軸１１１は、ちょうどＡ−Ａ断面視における照明器具２００の中心軸に一致している。光源カバー１５０は、光源カバー５０と同様に、断面視で厚さが一定な均厚部１５１、光軸１１１から離れるにつれ厚さが薄くなる傾斜部１５２、および、傾斜部１５２から連なる反射部１５３から構成される。均厚部１５１、傾斜部１５２、反射部１５３の、それぞれの作用は実施の形態１と同様であるので、説明を省略する。第一入射面１５１ａと出射面１５２ｂの成す角度を、傾斜角θαとする。実施の形態２においては、傾斜角θαが幅Ｗｓの端の地点（つまり均厚部１５１の端）で０度となり、光軸１１１から離れるに従い大きくなるように設定しており、傾斜部１５２を曲面形状としている。
【００２５】
ここで、発光面となる拡散板４０の幅をＷｋ、拡散板４０から光源カバー１５０までの距離をＨ、光源カバー１５０の屈折率をｎと表記する。
また、光軸から傾斜部を構成する出射面１５２ｂの任意の地点をＰ１とし、拡散板４０の端部から光源カバー１５０の中心軸１１２（あるいは光軸１１１）をまたいで進みＰ１に至る光路と、光源カバー１５０の内側の面つまり第一入射面１５１ａとが交わる点をＰ２とする。点Ｐ１と中心軸１１２の距離をＤｈと表記し、点Ｐ２と中心軸１１２の距離をＤｎと表記する。このとき、本実施の形態では、グレア光となる角度θｇ以下の光を抑制するために、第一入射面１５１ａと出射面１５２ｂが成す傾斜角θαが下記に示す式（４）を満たすようにしている。
θｇ＜９０−θα−ｓｉｎ−１（ｎ×ｓｉｎ×（ｓｉｎ−１（（ｓｉｎ（ｔａｎ−１（Ｗｗ／Ｈ）））／ｎ）−θα））  ・・・  （４）
但し、Ｗｗ＝Ｗｋ／２＋Ｄｎ
【００２６】
図１４および図１５は、照明器具２００の効果を説明するための配光分布図である。図１４および図１５は光軸１１を通る平面の配光分布であり、図１４はｘ−ｙ平面、図１５はｙ−ｚ平面の配光分布をそれぞれ示す。なお、実施の形態１における図７および図８と同様、光軸方向を０度とし、いずれの図においても比較対象として従来の照明器具の配光分布をあわせて示す。ＬＥＤ１０を出射した光は拡散板４０を介しプリズムシート１９０に入射する。プリズムシート１９０は出射面に稜線がｘ方向のプリズムを設けているので、ｙ−ｚ平面内において光軸１１方向に光を屈折し出射する。結果、図１５に示すようにｙ−ｚ平面内において角度が大きい光を抑制し、長手方向のグレア光も低減できる。また、光源カバー１５０を曲面とすることによる効果については、傾斜部１５２の位置によらずグレアを抑制する角度θｂを一定にすることができると共に光源カバー１５０の薄型化が可能となる。また、反射部１５３の外表面である反射面１５３ｂも傾斜部１５２と同様に曲面にすることにより精密な光の角度制御ができる。
【００２７】
プリズムシート１９０は略三角形状の凹凸を有するものに限らず、略台形あるいは波型などの凹凸であってもよく、基板長手方向の配光を光軸方向に向ける機能があればよい。
【００２８】
実施の形態３．
図１６は本発明の実施の形態３にかかる照明器具３００の断面図であり、図１７および図１８はその拡大断面図である。実施の形態３にかかる照明器具３００は、拡散板２４０および光源カバー２５０を有する点において実施の形態１にかかる照明器具１００と相違している。以下、実施の形態１と異なる事項について主に説明する。実施の形態１と同じ構成要素には同一の符号を付す。説明を省略した事項は実施の形態１と同様である。
【００２９】
照明器具３００は、表面に複数のＬＥＤ１０が並べて実装された基板２２０と、基板２２０の裏面に接続する筐体２３０と、器具本体部２３１を備えている。光源カバー２５０は、光源カバー５０と同様に、均厚部２５１、傾斜部２５２、および反射部２５３を備えている。照明器具３００は、入光面２４０ａおよび出射面２４０ｂを備え出射面２４０ｂに凸となる形状の拡散板２４０を備えている。図１７の線Ｌ１は、幅Ｗｋの拡散板２４０の端と、光源カバー２５０における幅Ｗｅを有する第一入射面２５１ａの端とを、中心軸２１１をまたいで結んだ仮想線である。仮想線Ｌ１を越えない範囲で、拡散板２４０の出射面２４０ｂを光源カバー２５０側に凸形状としている。より具体的には、図１６では、凸形状を仮想線の内接円としている。なお、本実施の形態においては、拡散板２４０は、二色成形により一体で構成され、図１６〜１８における斜線部分が拡散透過材で構成され、その他の部分は高反射部材で構成されている。
【００３０】
次に、図１７および図１８で作用と効果を説明する。拡散板２４０を凸形状にすることで、ＬＥＤ１０と拡散板２４０までの距離を平板と比較し長くすることができ、ＬＥＤ１０の光源カバー２５０表面の輝度を緩和すると共にＬＥＤ１０が離散的に配置されることによる明暗むらを軽減することができ、見栄えが改善する。また、図１８で示すように拡散板２４０の入光面２４０ａにおいてＬＥＤ１０から照射された光の入射角θ１を、その下方に比較例として示す平板の場合の入射角θ２と比べて、小さくすることができる。よって空気と拡散板２４０との屈折率差によって生ずる界面での反射を低減することで光取り出し効率を向上することができる。
【００３１】
光源カバー２５０では、傾斜部２５２および反射部２５３の表面が段状に形成されている。このため、光源カバー２５０の厚みを薄く、かつ、厚さの差を少なく構成でき、成形性が格段に向上する。よって、より安価に、かつ、容易に製造することが可能となる。
【００３２】
実施の形態４．
図１９は本発明の実施の形態４にかかる照明器具４００を示す図であり、図２０はその断面図である。照明器具４００は、ＬＥＤ３１０と筐体３３０、光源カバー３５０、ワイヤ３６０および電源ボックス３７０とを備える。図２０の断面図では、ワイヤ３６０および電源ボックス３７０を除いて図示している。光源カバー３５０は、光源カバー５０と同様に、均厚部３５１、傾斜部３５２、および反射部３５３を備えている。図２０に示す一点鎖線はＬＥＤ３１０の光軸３１１を表し、ＬＥＤ３１０から上側方向に光が出射される。なお、光源カバー３５０は、光軸３１１を回転軸として回転対称の形状を有する。ＬＥＤ３１０は、ＣＯＢ（Ｃｈｉｐ  ｏｎ  Ｂｏａｒｄ）タイプのものを用いてもよい。具体的には、ＬＥＤ３１０は、セラミック基板上に波長４４０ｎｍ〜４８０ｎｍ程度の青色光を発するＬＥＤチップを高密度で直接実装し、その上に青色光を黄色光に波長変換する蛍光体を混入したシリコーン樹脂を配したＣＯＢタイプのＬＥＤを用いてもよい。ＬＥＤ３１０は、筐体３３０にネジ締結されている。筐体３３０は、好ましくはダイキャスト法で製造されたアルミニウム製である。なお、筐体３３０はＬＥＤ３１０を設けた面と反対の面にフィン形状が一体成形されており、ＬＥＤ３１０の熱は主に筐体３３０を介して放熱されている。電源ボックス３７０内にはＬＥＤ３１０を点灯するための電源回路（図示せず）が内蔵されており、ワイヤ３６０によりＬＥＤ３１０と電源ボックス３７０内の回路が結線されている。
【００３３】
上記実施の形態に記した照明器具１００、２００、３００、４００は本発明にかかる照明器具の１例に過ぎず、本発明の趣旨を逸脱しない範囲で変更および組み合わせが可能である。本実施の形態においては発光素子としてＬＥＤを用いているがこれに限らずＬＤ（Ｌａｓｅｒ  Ｄｉｏｄｅ）あるいは有機ＥＬ素子などであってもよい。また、基板、拡散板、光源カバー、および筐体等の材料は本実施の形態において好ましい形態として記載したものに限定されるものではなく、上述した光学的機能を有するものであれば適宜に変更してもよい。また、光源カバーに拡散材を混ぜることにより拡散機能を併せ持たせてもよい。ただし、拡散機能の強化に伴い、グレア光を抑制する配光制御機能が低下するため、求める性能に合わせて適宜調整すればよい。
【００３４】
図２１および図２２を用いて、実施の形態の更なる変形例について説明する。図２１は、実施の形態の変形例にかかる光源カバー４５０の断面図である。光源カバー４５０は、光源カバー５０と同様に、均厚部４５１、傾斜部４５２、および反射部４５３を備えている。図２１に示す光源カバー４５０は、断面が均一な厚さの曲面形状である均厚部４５１を備えている。均厚部４５１は、ＬＥＤ１０の側を向くの内面とこの内面と対向する外面がともに同一の曲率半径を有するようにされている。この光源カバー４５０を照明器具１００〜４００に用いても良い。
【００３５】
図２２は、実施の形態の変形例にかかる照明器具５００の図である。照明器具５００は、光源カバー５５０を備えている。光源カバー５５０は、図２２に示すように均厚部５５１と傾斜部５５２のみで構成されている。その一方で、照明器具５００では反射機能を筐体に持たせる構造としている。この際、筐体４３０の反射面は鏡面反射とすることが好ましい。
【００３６】
なお、上述した各実施の形態にかかる照明器具１００〜５００によれば、ルーパを設けなくともグレア光を抑制できるので、照明器具の大型化を抑制しつつグレア光対策ができるという効果もある。
【符号の説明】
【００３７】
１００、２００、３００、４００、５００  照明器具、１０  ＬＥＤ、１１、１１１、２１１、３１１  光軸、２０  基板、３０、２３０  筐体、２３１  器具本体部、４０、２４０  拡散板、５０、１５０、２５０、３５０、４５０、５５０  光源カバー、５１、１５１、２５１、３５１、４５１、５５１  均厚部、５１ａ、１５１ａ、２５１ａ  第一入射面、５１ｂ  出射面、５２、１５２、２５２、３５２、４５２、５５２  傾斜部、５２ｂ、１５２ｂ  出射面、５３、１５３、２５３  反射部、５３ａ、１５３ａ  第二入射面、５３ｂ、１５３ｂ  反射面、５４  側板、８０  反射板、１１２  中心軸、１９０  プリズムシート、２４０ａ  入光面、２４０ｂ  出射面
【図１】
2015162447.tif 000003
【図２】
2015162447.tif 000004
【図３】
2015162447.tif 000005
【図４】
2015162447.tif 000006
【図５】
2015162447.tif 000007
【図６】
2015162447.tif 000008
【図７】
2015162447.tif 000009
【図８】
2015162447.tif 000010
【図９】
2015162447.tif 000011
【図１０】
2015162447.tif 000012
【図１１】
2015162447.tif 000013
【図１２】
2015162447.tif 000014
【図１３】
2015162447.tif 000015
【図１４】
2015162447.tif 000016
【図１５】
2015162447.tif 000017
【図１６】
2015162447.tif 000018
【図１７】
2015162447.tif 000019
【図１８】
2015162447.tif 000020
【図１９】
2015162447.tif 000021
【図２０】
2015162447.tif 000022
【図２１】
2015162447.tif 000023
【図２２】
2015162447.tif 000024